(57)【要約】【課題】磁気損失が少なく、高出力なシングルロータ型のアキシャルギャップ型電動機および同アキシャルギャップ型電動機を用いたポンプ装置を提供する。【解決手段】ヨーク部片２３の円周方向の一方の側面と、他方の側面に設けら、互いに合致する第１当接面２３１と第２当接面２３２とを設け、第１および第２当接面２３１，２３２の表面積ＡｓをＡｓ１，Ａｓ２、円周方向から見た上記ヨーク部片の側面の投影面積ＡｐをＡｐ１，Ａｐ２としたとき、Ａｓ＞Ａｐとなるように形成する。【選択図】図１０
2011114993.tif 000002
【特許請求の範囲】
【請求項１】
ステータとロータとが上記ロータのロータ出力軸の軸線方向に沿って所定の空隙をもって対向的に配置され、上記ステータは、上記ロータ出力軸の軸線を中心に環状に配置される複数のコアメンバーを有し、上記コアメンバー同士が所定の連結手段を介して相互に連結されているアキシャルギャップ型電動機において、
上記各コアメンバーは、上記ロータと対向するティース面と、同ティース面から上記軸線方向に延在するとともに、巻線が巻回される巻線部と、上記各コアメンバー同士を連結して上記ステータの上記軸線方向の一端側に環状のヨーク部の一部を形成するためのヨーク部片とを備える固定子鉄心を含み、上記ヨーク部片の円周方向の両端側には、円周方向に隣接する上記コアメンバーの上記ヨーク部片と当接する当接面が設けられており、上記当接面の表面積をＡｓ、円周方向から見た上記ヨーク部片の側面の投影面積をＡｐとしたとき、Ａｓ＞Ａｐとなるように形成されていることを特徴とするアキシャルギャップ型電動機。
【請求項２】
上記各当接面は、２以上の面を含み、そのうちの少なくとも１つの面は、上記ティース面とほぼ平行に設けられていることを特徴とする請求項１に記載のアキシャルギャップ型電動機。
【請求項３】
上記各当接面は、円弧面を含み、上記円弧面は、円周方向に凸または凹形状となるように形成されていることを特徴とする請求項１または２に記載のアキシャルギャップ型電動機。
【請求項４】
上記各当接面には、上記当接面同士が合致した状態での位置ズレを防止するための位置ズレ防止手段が設けられていることを特徴とする請求項１，２または３に記載のアキシャルギャップ型電動機。
【請求項５】
上記コアメンバーはさらに、上記巻線部のティース面を残して上記固定子鉄心の外周を覆うインシュレータを含み、上記インシュレータは、上記ティース面および上記ヨーク部片に沿って平行な一対のフランジ部を有するボビン状に形成されており、上記ティース面側の上記フランジは、上記ティース面よりも上記軸線方向に低くなるように形成されていることを特徴とする請求項１に記載のアキシャルギャップ型電動機。
【請求項６】
上記フランジ部の円周方向の一端側には、第１連結手段としてのフック部が突設され、上記フランジ部の円周方向の他端側には、上記フック部が係止される係止軸が設けられており、上記係止軸は、その軸方向高さが、上記ティース面よりも上記軸線方向に低くなるように形成されていることを特徴とする請求項５に記載のアキシャルギャップ型電動機。
【請求項７】
上記コアメンバー同士を連結する際、隣接する上記各フランジ部の一部が上記軸線方向に互いに重なるように配置されており、上記ヨーク部片側における上記フランジ部同士が重なり合う当接部と、上記コアメンバーの当接部とは、重なり合う方向が上記軸線方向に互い違いとなるように配置されていることを特徴とする請求項５または６に記載のアキシャルギャップ型電動機。
【請求項８】
上記コアメンバーは、積層鋼板からなり、上記当接面は、上記積層鋼板の積層方向とほぼ平行、かつ、上記軸線方向に対して垂直となるように設けられていることを特徴とする請求項１または２に記載のアキシャルギャップ型電動機。
【請求項９】
上記請求項５ないし７のいずれか１項に記載されたアキシャルギャップ型電動機を用いたポンプ装置であって、上記ポンプ装置は、軸線方向の厚みが厚い部分と薄い部分とが設けられた仕切壁によって電動機室とポンプ室とに区画されており、上記電動機室には、上記アキシャルギャップ型電動機のステータが、上記ティース面を上記仕切壁の厚みが薄い部分と対向するように配置されており、上記ポンプ室には、上記アキシャルギャップ型電動機のロータが上記仕切壁を挟んで上記ステータに対向的に配置されていることを特徴とするポンプ装置。
【発明の詳細な説明】
【技術分野】
【０００１】
本発明は、ロータとステータとがロータ出力軸の軸線方向に沿って所定の空隙をもって互いに対向的に配置される１ロータ型のアキシャルギャップ型電動機に関し、さらに詳しく言えば、ステータコアのヨーク部を構成する各ヨーク部片同士を磁気的に確実に連結して、より高効率なアキシャルギャップ型電動機に関する。
【背景技術】
【０００２】
例えば特許文献１に示すように、アキシャルギャップ型電動機は、ステータ（固定子）の一方または両方向の側面にロータ（回転子）を所定の空隙をもって対向的に配置した電動機であって、ラジアルギャップ型電動機に比べて、出力の大小に関わらず回転軸方向の全体長さを短くすることができる。
【０００３】
ステータは、複数のコアメンバー同士をロータ出力軸の軸線方向を中心に環状に連結したものから形成されている。これによれば、各コアメンバーにあらかじめ巻線を施しておき、各コアメンバー同士を連結して結線するだけで、簡単にステータの組み立てが行える。
【０００４】
ところで、例えば特許文献２に示すように、ステータの一方の面に１つのロータを配置した、いわゆるシングルロータのアキシャルギャップ型電動機の場合、コアメンバーに設けられるヨーク部片を連結して構成されるヨーク部をステータコアの反ロータ側に設けて、磁束経路の拡大を図り、より高出力化することが好ましい。
【０００５】
しかしながら、上述した分割コア型のアキシャルギャップ型電動機の場合、隣接するコアメンバーのヨーク部片の端面同士を互いに接触させて１つの磁気回路を形成しているため、接触面積が十分大きく取れず、磁気抵抗が大きくなるおそれがある。また、接触面積が大きく取れないと、例えば衝撃を受けた際に端面同士の接触が離れやすくなるため、磁気抵抗がさらに大きくなり、電動機の磁気損失が大きくなるおそれがある。
【０００６】
ところで、アキシャルギャップ型電動機の用途の一例として、例えば特許文献３に示すようなポンプ装置がある。このポンプ装置は、所定の仕切壁を介して区画された電動機室とポンプ室とを有し、電動機室内にステータが配置され、ポンプ室内にロータが配置されている。ロータには、ポンプ用の羽根車が一体的に設けられており、ロータの回転力によってポンプ室内に取り込まれた流体を吐出できるようになっている。
【０００７】
しかしながら、上述した分割コア型のアキシャルギャップ型電動機をポンプ装置に用いた場合、次のような問題があった。すなわち、特許文献１に示すアキシャルギャップ型電動機は、インシュレータのフランジ部の側面に各コアメンバー同士を連結するための連結手段や渡り線を処理するブリッジなどが設けられている。
【０００８】
そのため、フランジ部の一部がティース面よりも飛び出しているため、ポンプ装置の電動機室に組み込んだ場合に、ステータのティース面とロータのマグネット面との隙間が必然的に大きくなり、その結果、モータ出力が低下してしまう。
【先行技術文献】
【特許文献】
【０００９】
【特許文献１】特開２００８−１１８８３３号公報
【特許文献２】特開２００６−５０７４５号公報
【特許文献３】特開平０９−２０９９６９号公報
【発明の概要】
【発明が解決しようとする課題】
【００１０】
そこで、本発明は、上述した課題を解決するためになされたものであって、その目的は、磁気損失が少なく、高出力なシングルロータ型のアキシャルギャップ型電動機および同アキシャルギャップ型電動機を用いたポンプ装置を提供することにある。
【課題を解決するための手段】
【００１１】
上述した目的を達成するため、本発明は以下に示すいくつかの特徴を備えている。請求項１に記載の発明は、ステータとロータとが上記ロータのロータ出力軸の軸線方向に沿って所定の空隙をもって対向的に配置され、上記ステータは、上記ロータ出力軸の軸線を中心に環状に配置される複数のコアメンバーを有し、上記コアメンバー同士が所定の連結手段を介して相互に連結されているアキシャルギャップ型電動機において、
上記各コアメンバーは、上記ロータと対向するティース面と、同ティース面から上記軸線方向に延在するとともに、巻線が巻回される巻線部と、上記各コアメンバー同士を連結して上記ステータの上記軸線方向の一端側に環状のヨーク部の一部を形成するためのヨーク部片とを備える固定子鉄心を含み、上記ヨーク部片の円周方向の両端側には、円周方向に隣接する上記コアメンバーの上記ヨーク部片と当接する当接面が設けられており、上記当接面の表面積をＡｓ、円周方向から見た上記ヨーク部片の側面の投影面積をＡｐとしたとき、Ａｓ＞Ａｐとなるように形成されていることを特徴としている。
【００１２】
請求項２に記載の発明は、上記請求項１において、上記各当接面は、２以上の面を含み、そのうちの少なくとも１つの面は、上記ティース面とほぼ平行に設けられていることを特徴としている。
【００１３】
請求項３に記載の発明は、上記請求項１または２において、上記各当接面は、円弧面を含み、上記円弧面は、円周方向に凸または凹形状となるように形成されていることを特徴としている。
【００１４】
請求項４に記載の発明は、上記請求項１，２または３において、上記各当接面には、上記当接面同士が合致した状態での位置ズレを防止するための位置ズレ防止手段が設けられていることを特徴としている。
【００１５】
請求項５に記載の発明は、上記請求項１において、上記コアメンバーはさらに、上記巻線部のティース面を残して上記固定子鉄心の外周を覆うインシュレータを含み、上記インシュレータは、上記ティース面に沿って平行な一対のフランジ部を有するボビン状に形成されており、上記ティース面側の上記フランジは、上記ティース面よりも上記軸線方向に低くなるように形成されていることを特徴としている。
【００１６】
請求項６に記載の発明は、上記請求項５において、上記フランジ部の円周方向の一端側には、第１連結手段としてのフック部が突設され、上記フランジ部の円周方向の他端側には、上記フック部が係止される係止軸が設けられており、上記係止軸は、その軸方向高さが、上記ティース面よりも上記軸線方向に低くなるように形成されていることを特徴としている。
【００１７】
請求項７に記載の発明は、上記請求項５または６において、上記コアメンバー同士を連結する際、隣接する上記各フランジ部の一部が上記軸線方向に互いに重なるように配置されており、上記ヨーク部片側における上記フランジ部同士が重なり合う当接部と、上記コアメンバーの当接部とは、重なり合う方向が上記軸線方向に互い違いとなるように配置されていることを特徴としている。
【００１８】
請求項８に記載の発明は、上記請求項１または２において、上記コアメンバーは、積層鋼板からなり、上記当接面は、上記積層鋼板の積層方向とほぼ平行、かつ、上記軸線方向に対して垂直となるように設けられていることを特徴としている。
【００１９】
本発明には、このアキシャルギャップ型電動機を組み込んでなるポンプ装置も含まれる。すなわち、請求項９に記載の発明は、上記請求項５ないし７のいずれか１項に記載されたアキシャルギャップ型電動機を用いたポンプ装置であって、上記ポンプ装置は、軸線方向の厚みが厚い部分と薄い部分とが設けられた仕切壁によって電動機室とポンプ室とに区画されており、上記電動機室には、上記アキシャルギャップ型電動機のステータが、上記ティース面を上記仕切壁の厚みが薄い部分と対向するように配置されており、上記ポンプ室には、上記アキシャルギャップ型電動機のロータが上記仕切壁を挟んで上記ステータに対向的に配置されていることを特徴としている。
【発明の効果】
【００２０】
請求項１に記載の発明によれば、ヨーク部片同士を互いに連結する際に当接する当接面の表面積をＡｓ、円周方向から見た上記ヨーク部片の側面の投影面積をＡｐとしたとき、当接面は、Ａｓ＞Ａｐとなるように形成したことにより、確実に当接面同士を当接させることができるので、磁束経路を確保することができる。
【００２１】
請求項２および３に記載の発明によれば、当接面が少なくとも２以上の面を含むことにより、当接面を２面以上設けることで、接触面積を簡単に増やすことができる。さらには、当接面が円弧面を含むことにより、平坦面よりもさらに表面積を増やすことができ、磁束密度を高めることができる。
【００２２】
請求項４に記載の発明によれば、当接面に当接面同士の位置ズレを防止するための位置ズレ防止手段を設けたことにより、外的な力が加えられたとしても、位置ズレ防止手段によって当接面同士が連結されているため、確実に連結を維持することができる。
【００２３】
請求項５に記載の発明によれば、コアメンバーに取り付けられるインシュレータの一対のフランジ部のうち、ティース面側のフランジをティース面よりも軸線方向に低くなるように形成したことにより、ティース面が最も高い位置となり、ロータとの間のギャップを小さくすることができ、軸方向寸法を小さくすることができる。
【００２４】
請求項６に記載の発明によれば、フランジ部の円周方向の他端側に設けられる係止軸の軸方向高さをティース面よりも軸線方向に低くなるように形成したことにより、係止軸が邪魔にならず、ロータとの間のギャップをより小さくすることができる。
【００２５】
請求項７に記載の発明によれば、コアメンバー同士を連結する際、隣接する上記コアメンバーのフランジ部の一部が上記軸線方向に沿って互いに重なるように配置されており、フランジ部の当接面が軸線方向のいずれか一方側から当接し、ヨーク部片の当接面は、軸線方向のいずれか他方側から当接するように、軸線方向に対して逆向きに配置されているため、コアメンバーが軸線方向に外れることを確実に防止することができる。
【００２６】
請求項８に記載の発明によれば、電磁鋼板を積層した積層鋼板を用いてコアメンバーを構成することにより、１枚の鋼板が複数枚の鋼板と接触するので、磁路が確保される。さらには、１枚の鋼板に磁束が集中しても、周囲の鋼板に分散されるため、磁気飽和が緩和される。
【００２７】
請求項９に記載の発明によれば、電動機室内に請求項１または７のいずれか１項に記載されたアキシャルギャップ型電動機のステータが配置され、ポンプ室内に請求項１または７のいずれか１項に記載されたアキシャルギャップ型電動機のロータが配置されることで、仕切壁を挟んで対向配置されたステータとロータとの距離をできるだけ小さくすることができ、モータ出力をできるだけ高めることができる。
【図面の簡単な説明】
【００２８】
【図１】本発明の一実施形態に係るアキシャルギャップ型電動機の要部断面図。
【図２】（ａ）上記アキシャルギャップ型電動機のステータをティース面側から見た斜視図，（ｂ）ヨーク部側から見た斜視図。
【図３】（ａ）上記ステータをティース面側から見た正面図，（ｂ）ヨーク部側から見た正面図。
【図４】上記ステータの側面図。
【図５】図３（ａ）のＡ−Ａ線断面図，（ｂ）図３（ａ）のＤ−Ｄ線断面図，（ｃ）固定子鉄心の連結部の拡大断面図。
【図６】（ａ）上記ステータのコアメンバーをティース面側から見た斜視図，（ｂ）上記コアメンバーをヨーク部側から見た斜視図。
【図７】（ａ）上記コアメンバーの正面図，（ｂ）背面図，（ｃ）平面図，（ｄ）Ｂ−Ｂ線断面図および（ｅ）Ｃ−Ｃ線断面図。
【図８】（ａ）固定子鉄心を内径側から見た斜視図，（ｂ）固定子鉄心を外径側から見た斜視図。
【図９】（ａ）固定子鉄心を内径側から見た正面図，（ｂ）背面図，（ｃ）平面図および（ｄ）底面図。
【図１０】（ａ）固定子鉄心同士を連結した状態の模式図，（ｂ）その連結部分をハッチングで表す模式図。
【図１１】（ａ）当接面の噛み合わせ状態を示す模式図，（ｂ）当接面のかみ合わせの変形例を表す模式図，（ｃ）当接面を円弧状に変形例を表す模式図。
【図１２】（ａ）固定子鉄心同士を連結した状態の模式図，（ｂ）その連結部分をハッチングで表す模式図。
【図１３】当接面の噛み合わせ状態を示す模式図。
【図１４】ステータコアの組立手順の一例を説明する模式図。
【図１５】ステータコアの組立手順の一例を説明する模式図。
【図１６】（ａ）第１位置ズレ防止手段を備えた固定子鉄心を内径側から見た斜視図，（ｂ）上記固定子鉄心を外径側から見た斜視図，（ｃ）第１位置ズレ手段の係止状態を表す模式図。
【図１７】（ａ）第２位置ズレ防止手段を備えた固定子鉄心を内径側から見た斜視図，（ｂ）上記固定子鉄心を外径側から見た斜視図。
【図１８】本発明のアキシャルギャップ型電動機を組み込んでなるポンプ装置の（ａ）斜視図および（ｂ）要部断面部。
【図１９】上記ポンプ装置の仕切壁の斜視図。
【発明を実施するための形態】
【００２９】
次に、本発明の実施形態について図面を参照しながら説明するが、本発明はこの限りではない。図１に示すように、このアキシャルギャップ型電動機１は、ステータ２のティース面２２ａとヨーク部片２３の端面を除き、樹脂成形体１０で外殻を形成するステータ２と、ステータ２の一方の面（図１では右側面）に所定の空隙（エアギャップ）をもって対向的に配置されるロータ３とを備えている。ロータ３には、ロータ出力軸４が同軸的に固定されている。
【００３０】
ステータ２は、ロータ出力軸４の軸線方向を中心に環状に形成されており、インサート成形によって樹脂成形体１０とともに一体成形されている。ステータ２の反ロータ側（図１では左側面側）には、図示しない制御基板が据え付けられる基板台座１１が樹脂成形体１０によって一体成形されている。
【００３１】
ロータ３は、円盤状のロータバックヨーク３２の一方の面（図１では左側面）にステータ２のティース面２２ａと対向するようにマグネット３１が円周方向に多数設けられている。本発明において、ロータ３の具体的な構成は任意であってよい。また、ロータ出力軸４は、この例において、ステータ２に設けられた軸受収容部に収容された１つの軸受で支持されているが、出力軸の支持構造はこれに限らず、任意であってよい。
【００３２】
図２〜図７を併せて参照して、ステータ２は、ロータ出力軸４の軸線を中心として環状に配置される複数のコアメンバー２１ａ〜２１ｉを備えている。この例において、コアメンバー２１ａ〜２１ｉは９個（９スロット）からなる。各コアメンバー２１ａ〜２１ｉはともに同一形状であるため、以下ではコアメンバー２１ａを例にとって説明する。
【００３３】
コアメンバー２１ａは、固定子鉄心２４と、固定子鉄心２４の外周を覆うように取り付けられるインシュレータ４０とを備えている。この例において、固定子鉄心２４は、図７（ｄ）の断面図に示すように、Ｈ字状に打ち抜かれた電磁鋼板をステータ２の半径方向（図７（ａ）の上下方向）に沿って積層して形成されているが、これ以外に粉体成形や切削加工などによって形成されていてもよい。
【００３４】
固定子鉄心２４は、インシュレータ４０を介して図示しない巻線が周囲に巻回される巻線部２２と、巻線部２２の基端側に一体的に形成されるヨーク部片２３とを備え、巻線部２２の先端側（図１では右側面側）には、ロータ３のロータマグネット３１に対向する扇状のティース面２２ａが一体的に設けられている。固定子鉄心２４は、巻線部２２の両端にフランジ状のティース面２２ａとヨーク部片２３を有するボビン状に形成されている。
【００３５】
図８および図９に示すように、巻線部２２は、内径側（図７（ｅ）の下側）から外径側（図７（ｅ）の上側）に向かうにつれ半径方向の幅が漸次大きくなる断面三角形状に形成されている。この例において、巻線部２２は台形状に形成されているが、巻線部２２の形状は使用に応じて任意であってよい。
【００３６】
ティース面２２ａも内径側（図７（ａ）の下側）から外径側（図７（ａ）の上側）に向かうにつれ周方向の幅が漸次大きくなるように形成され、軸線方向から見て扇状に形成されている。この例において、ティース面２２ａは扇状に形成されているが、その形状は使用に応じて任意であってよい。
【００３７】
ヨーク部片２３は、巻線部２２の基端側（図７（ｄ）では右側）に設けられ、内径側（図７（ｂ）の下側）から外径側（図７（ｂ）の上側）に向かうにつれ周方向の幅が漸次大きくなるように形成されている。
【００３８】
ヨーク部片２３は、周方向の幅がティース面２２ａの周方向の幅よりも大きく形成されており、固定子鉄心２４やコアメンバー２１ａをティース面２２ａ側から見た場合、ティース面２２ａの両端側からヨーク部片２３の両端（第１当接面２３１，第２当接面２３２）の一部がそれぞれ所定長さだけ突出しているように見える（図７（ａ），図９（ｃ）参照）。
【００３９】
ヨーク部片２３の円周方向の一端側（図９（ａ）の右側）には、第１当接面２３１が設けられており、他端側（図９（ａ）の左側）には、第２当接面２３２が設けられている。
【００４０】
すなわち、第１当接面２３１は、ヨーク部片２３の底面から軸線方向に一段低く凹まされたＬ字状の段差面からなり、隣接するコアメンバー２１ｂの第２当接面２３２に沿って形状的に合致するようになっている。第２当接面２３２は、ヨーク部片２３の上面から軸線方向に一段低く凹まされたＬ字状の段差面からなり、第１当接面２３１とは対称形状である。
【００４１】
これによれば、第１当接面２３１および第２当接面２３２がＬ字状の段差面によって形成されていることにより、図１０（ａ），（ｂ）に示すように、この第１当接面２３１と第２当接面２３２とを互いに向き合わせ、交互に噛み合わせることにより、各当接面２３１，２３２同士が互いに合致した状態で連結される。
【００４２】
第１および第２当接面２３１，２３２は、それぞれ断面Ｌ字状に形成されているが、少なくとも２以上の面を含むように構成されている。すなわち、図１１（ａ）に示すように、第１および第２当接面２３１，２３２は、軸線方向に平行な２つの当接面２３１ａ，２３１ｂおよび２３２ａ，２３２ｂと、軸線方向に対して直交する１つの当接面２３１ｃ，２３２ｃをそれぞれ備えている。
【００４３】
本発明において、第１当接面２３１の表面積ＡｓをＡｓ１とし、当接面２３１ａ，２３１ｂ，２３１ｃの表面積ＡｓをそれぞれＳ１ａ，Ｓ１ｂ，Ｓ１ｃ、とすると、第１当接面２３１の表面積Ａｓ１は、Ａｓ１＝Ｓ１ａ＋Ｓ１ｂ＋Ｓ１ｃとなる。同様に、第２当接面２３２の表面積ＡｓをＡｓ２とし、当接面２３２ａ，２３２ｂ，２３２ｃの表面積をそれぞれＳ２ａ，Ｓ２ｂ，Ｓ２ｃとすると、第２当接面２３２の表面積Ａｓ２は、Ａｓ２＝Ｓ２ａ＋Ｓ２ｂ＋Ｓ２ｃとなる。一方、第１当接面２３１および第２当接面２３２のヨーク部片２３を円周方向から見た側面の投影面積ＡｐをＡｐ１，Ａｐ２としたとき、第１当接面２３１の投影面積Ａｐ１は、Ａｐ１＝Ｓ１ａ＋Ｓ１ｂ（第２当接面２３２の投影面積Ａｐ２はＳ２ａ＋Ｓ２ｂ）となる。したがって、第１および第２当接面２３１，２３２は、Ａｓ１＞Ａｐ１，Ａｓ２＞Ａｐ２となるように形成されている。
【００４４】
第１当接面２３１および第２当接面２３２は、その表面積がヨーク部片２３を円周方向から見た側面の投影面積よりも大きく形成されていることにより、接触面積を大きく取ることができ、その結果、隣り合うコアメンバー（例えば、コアメンバー２１ａとコアメンバー２１ｂ）が寸法誤差などで近接できず周方向に若干の距離をもって配置されるような場合でも、磁束を継ぐ経路を確保することができる。
【００４５】
これにより、ヨーク部片２３を円周方向から見た側面の投影面積Ａｐよりも各当接面２３１，２３２の表面積Ａｓを大きくすることができる。より表面積を増やす方法としては、図１１（ｂ）に示すように、第１および第２当接面２３１，２３２をそれぞれ凹凸に形成しておき、これらを噛み合わせるようにしてもよい。これによれば、各当接面２３１，２３２の表面積を大きくすることができるばかりでなく、各当接面２３１，２３２の噛み合わせをより確実に行うことができる。
【００４６】
また、これとは別の方法として、図１１（ｃ）に示すように、第１および第２当接面２３１，２３２は円弧面に形成されていてもよい。すなわち、一方の第１当接面２３１を凹状の円弧面に形成しておき、他方の第２当接面２３２を、これに合致する凸状の円弧面としておき、これらを互いに合致させてもよい。このような態様も本発明に含まれる。
【００４７】
第１および第２当接面２３１，２３２が１面であっても、円弧状に形成することで、表面積を大きくすることができる。さらには、凹凸状の円弧面としておくことで、それらを互いに合致させることで、位置決めも併せて行うことができる。
【００４８】
再び図６，７を参照して、インシュレータ４０は、ティース面２２ａおよびヨーク部片２３の内周面を覆うとともに、ティース面２２ａおよびヨーク部片２３から半径方向の両側（図７の上下方向）に延びるフランジ部４１，４１と、巻線部２２の外周面を覆う外筒部４２とを備えている。
【００４９】
この例において、インシュレータ４０は、合成樹脂の成型品からなり、円周方向に沿ってほぼ半分割されており、それらを固定子鉄心２４の両側（図７（ａ）では左右側）から嵌め込むことにより、固定子鉄心２４に取り付けられるようになっている。なお、インシュレータ４０は、固定子鉄心２４に一体成形されていてもよく、本発明において、インシュレータ４０の取付構造は、仕様に応じて任意であってよい。
【００５０】
インシュレータ４０の各フランジ部４１，４１には、各コアメンバー２１ａ〜２１ｉ同士を周方向に相互に連結するための２つの連結手段が設けられている。まず、第１の連結手段（以下、第１連結手段とする）として、フランジ部４１，４１の円周方向の端部には、各コアメンバー２１ａ〜２１ｉ同士をロータ出力軸４を中心に環状に連結するためのフック部４３と、同フック部４３が係止される係止軸４４とが設けられている。
【００５１】
図７（ａ）に示すように、フック部４３は、各フランジ部４１の外径側端面に設けられており、各フランジ部４１の円周方向の一端側の端面から円周方向の外側に向けて突設された舌片からなる。このフック部４３の外径側には、係止軸４４の外周面に沿って合致するフック溝４３１が設けられている。
【００５２】
フック溝４３１は、係止軸４４の外周面に沿って合致される半円状の円弧面からなり、フック溝４３１を隣接するコアメンバーに設けられた係止軸４４の外周面に引っ掛けることで、係止軸４４の軸線を中心に各コアメンバー２１ａ〜２１ｉ同士を回転させることができる。
【００５３】
係止軸４４は、円柱状を呈し、各フランジ部４１の外径側の側面であって円周方向の他端側（フック部４３とは反対側）から軸線方向に突設されている。係止軸４４は、その先端がティース面２２ａよりも低くなるように設けられている。
【００５４】
これによれば、係止軸４４の先端をティース面２２ａよりも低い位置に設けることで、ティース面２２ａがコアメンバー２１ａの軸方向の最外面となり、例えばステータ２とロータ３との間に防水用の仕切壁が介在するポンプ装置などに用いても、ステータ２とロータ３の間の距離をできる限り小さくすることができ、出力低下を最小限に抑えることができる。
【００５５】
次に、第２の連結手段（第２連結手段）として、フランジ部４１，４１の内径側には、係止リブ４５と、係止リブ４５の受け手側としての係止溝４６とが設けられている。図７（ａ）に示すように、係止リブ４５は、各フランジ部４１，４１の円周方向の内径側端面に設けられており、一端側の端面（図７（ａ）では右端）から円周方向の外側に向けて突設された凸状片であり、この例は三角形状に形成されている。
【００５６】
これに対して、各係止溝４６，４６は、各フランジ部４１，４１の内径側の側面であって円周方向の他端側の側面に軸線方向に一段低く凹まされた凹溝からなり（図７（ａ）では左端）、係止リブ４５と形状的に合致する三角形状の凹溝として形成されている。
【００５７】
この例において、各係止リブ４５，４５および係止溝４６，４６はともに、三角形状に形成されているが、各コアメンバー２１ａ〜２１ｉ同士を環状に連結可能な形状であれば、その形状は仕様に応じて任意に選択されてよい。
【００５８】
各フランジ部４１，４１のうち、ヨーク部片２３側のフランジ部４１の側面には、渡り線や端子ピン（ともに図示しない）などの処理に用いられる端子台４７，４７が設けられている。図６（ｂ）に示すように、端子台４７，４７は、ヨーク部片２３側のフランジ部４１の外径側の側面に突設された支軸であって、所定の間隔をもって２箇所突設されている。
【００５９】
端子台４７，４７の先端には、上述した端子ピンが差し込まれる端子孔が穿設されている。なお、ティース面２２ａを最外面とするため、ティース面２２ａ側のフランジ部４１には、端子台４７，４７は設けられていない。
【００６０】
次に、図１４，１５を参照して、コアメンバー２１ａ〜２１ｉの連結手順の一例について説明する、コアメンバー２１ａ〜２１ｉ同士を連結するにあたっては、コアメンバー２１ａのフック部４３を隣接するコアメンバー２１ｉの係止軸４４に引っ掛ける。
【００６１】
フック部４３を引っ掛けた状態のまま、コアメンバー２１ａを係止軸４４の軸線を中心に、図１４の矢印方向に回動させてゆくと、隣接するコアメンバー２１ｉの内径側に設けられた係止リブ４５がコアメンバー２１ａの係止溝４６に沿って差し込まれ、図１５に示すような連結された状態となる。
【００６２】
以上の一連の工程を各コアメンバー２１ａ〜２１ｉ毎に行うことで、全てのコアメンバー２１ａ〜２１ｉ同士が環状に連結される。ここで、図５（ａ），（ｂ）に示すように、各コアメンバー２１ａ〜２１ｉ同士を連結する際、隣接するコアメンバー２１ａ〜２１ｉのフランジ部４１，４１は、係止軸周辺部４４１，４４１とフック部４３，４３が軸線方向に重なり合うように当接するようになっている。
【００６３】
他方において、ヨーク部片２３の軸方向の当接面２３１ｃ，２３２ｃは、軸線方向に重なり合うように（図５（ｃ））当接するようになっている。これによれば、図５（ａ）に示すように、フランジ部４１，４１とヨーク部片２３，２３の重なり合う方向が軸線方向に互い違いとなることで、フランジ部４１，４１の抜け落ち方向と、ヨーク部片２３，２３の抜け落ち方向とが互いに相反するため、各コアメンバー２１ａ〜２１ｉ同士の連結をより強固にすることができる。
【００６４】
この例において、ヨーク部片２３の軸方向の当接面２３１ｃ，２３２ｃは、軸線方向に重なり合うように配置されているが、図１２〜図１３に示すように、当接面２３１ｃ，２３２ｃは、軸線方向に重なり合うことができれば、上下逆向きに設けられていてもよい。
【００６５】
上記したように、ヨーク部片２３の円周方向の両端に設けられる当接面が、隣接するヨーク部片の当接面と軸線方向に重なり合うように配置される当接面２３１ｃを備える場合、コアメンバー２１ａ〜２１ｉを図１０又は図１２に示すように、電磁鋼板を積層した積層鋼板で構成することにより、磁路の確保に加えて、磁気飽和の緩和という効果が得られる。すなわち、図１０（ｂ）又は図１２（ｂ）に示すように、電磁鋼板を積層した積層鋼板を用いてコアメンバーを構成することにより、１枚の鋼板が複数枚の鋼板と接触するので磁路が確保される。さらには、１枚の鋼板に磁束が集中しても、周囲の鋼板に分散されるため、磁気飽和が緩和される。
【００６６】
この例において、第１および第２当接面２３１，２３２は、断面Ｌ字状に形成されており、それらを互いに合致させることで、ヨーク部片２３同士が環状に連結されるようになっているが、第１および第２当接面２３１，２３２を連結した状態でずれないようにするための位置ズレ防止手段を備えてもよい。
【００６７】
図１６（ａ）〜（ｃ）を参照して、位置ズレ防止手段は、第１当接面２３１の当接面２３１ｃに設けられた係止凹部２３３と、第２当接面２３２の当接面２３２ｃから突設された係止凸部２３４とからなる。係止凹部２３３と係止凸部２３４とは、相対的に合致する位置に設けられている。
【００６８】
係止凹部２３３および係止凸部２３４は、それぞれ半球状に形成されており、それらが互いに噛み合わせられることで、ヨーク部片２３同士が噛み合わせられた状態を維持できるようになっている。
【００６９】
この例において、固定子鉄心２４は、任意の立体形状を容易に作ることができる圧粉磁心が用いられているが、本発明はこれに限られず、磁性鋼板を積層して形成してもよいし、切削加工などにより形成してもよい。係止凹部２３３および係止凸部２３４は、１組の半球状の凹凸からなるが、２組以上設けられていてもよいし、円柱状の凹凸であってもよく、互いに合致可能で位置ズレを防止することができれば、その他の変形例も本発明に含まれる。
【００７０】
位置ズレの別の方法としては、図１７（ａ），（ｂ）に示すように、第１および第２当接面２３１，２３２の一部を端面から円周方向に沿ってさらに一段凹ませ、円周方向に沿って互いに当接する当接面２３１ｄ，２３２ｄを設けてもよい。
【００７１】
これによれば、第１および第２当接面２３１，２３２が軸線方向に平行な当接面（当接面２３１ａ，２３２ｂ）−径方向平行な当接面（当接面２３１ｃ，２３１ｃ’および２３１ｃ’，２３２ｃ）−周方向に平行な当接面（当接面２３１ｄ，２３２ｄ）の３方向に平行な当接面を備えることにより、各当接面２３１，２３２同士を互いに合致させるだけで、位置ズレを防止することができる。
【００７２】
組み立てられたステータコア２は、専用のインサート金型（図示しない）に取り付けられたのち、金型内に熔融樹脂が流し込まれティース面２２ａを残して全体が樹脂成形体１０によって一体成形される。最後に、結線処理や基板台座１１への基板の取り付けなどを行った後、所定の対象装置へと組み込まれる。
【００７３】
図１８（ａ），（ｂ）に示すように、この例において、アキシャルギャップ型電動機１は、水などの流体を搬送するポンプ装置Ｐに好ましくは用いられる。このポンプ装置Ｐは、所定の防水用仕切壁ＰＷを介して、内部が電動機室ＭＣとポンプ室ＰＣとに区画されており、ロータ３の軸線方向に吸入口ＰＩＮを有し、半径方向に吐出口ＰＯＵＴが設けられている。
【００７４】
電動機室ＭＣ側には、アキシャルギャップ型電動機１のステータ２が配置されており、仕切壁ＰＷを挟んでポンプ室ＰＣ側にがロータ３が設けられている、ロータ３には、ポンプ用のインペラＩＭが一体的に設けられており、ロータ３の回転駆動力が直にインペラＩＭを駆動するようになっている。
【００７５】
この例において、仕切壁ＰＷは、図１９に示すように、軸線方向の厚みが厚い部分と薄い部分とが設けられている。すなわち、ティース面２２ａに対向するティース面対向部５１の軸方向の厚みは、ロータ３との間のギャップをできるだけ小さくすように薄く形成されており、それ以外の部分、つまり、ティース面対向部５１の内径側及び外径側であって、ステータ２の樹脂成形体１０に対向する樹脂成形体対向部５２は、強度を保つため厚く形成されている。さらに、隣接するティース面対向部５１の間の軸方向厚みを厚くして、リブ５３が形成されているので、厚みが薄いティース面対向部５１の強度も保たれる。
【００７６】
さらには、仕切壁ＰＷに当接するティース面２２ａ側のフランジ部４１は、ティース面２２ａが軸方向の最外面となるように設けられているため、ティース面２２ａを仕切壁ＰＷのティース面対向部５１に密着させることができる。したがって、ティース面２２ａとロータマグネット３１を軸線方向に近づけることができるので、ステータ２とロータ３との間での磁気損失を抑えることができる。
【００７７】
本発明において、アキシャルギャップ型電動機１は、ポンプ装置に用いられることが最も好ましいが、これ以外に、一般的な電動機の用途に用いられてもよい。すなわち、各種ファンの駆動用などとして用いられてもよい。
【符号の説明】
【００７８】
１  アキシャルギャップ型電動機。
２  ステータ
２１ａ〜２１ｉ  コアメンバー
２２  巻線部
２２ａ  ティース面
２３  ヨーク部片
２３１  第１当接面
２３２  第２当接面
２４  固定子鉄心
３  ロータ
３１  ロータマグネット
３２  ロータバックヨーク
４０  インシュレータ
４１，４１  フランジ部
４２  外筒部
４３  フック部
４４  係止軸
４５  係止リブ
４６  係止溝
Ｐ  ポンプ装置
【図１】
2011114993.tif 000003
【図２】
2011114993.tif 000004
【図３】
2011114993.tif 000005
【図４】
2011114993.tif 000006
【図５】
2011114993.tif 000007
【図６】
2011114993.tif 000008
【図７】
2011114993.tif 000009
【図８】
2011114993.tif 000010
【図９】
2011114993.tif 000011
【図１０】
2011114993.tif 000012
【図１１】
2011114993.tif 000013
【図１２】
2011114993.tif 000014
【図１３】
2011114993.tif 000015
【図１４】
2011114993.tif 000016
【図１５】
2011114993.tif 000017
【図１６】
2011114993.tif 000018
【図１７】
2011114993.tif 000019
【図１８】
2011114993.tif 000020
【図１９】
2011114993.tif 000021
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
ステータとロータとが上記ロータのロータ出力軸の軸線方向に沿って所定の空隙をもって対向的に配置され、上記ステータは、上記ロータ出力軸の軸線を中心に環状に配置される複数のコアメンバーを有し、上記コアメンバー同士が所定の連結手段を介して相互に連結されているアキシャルギャップ型電動機において、
上記各コアメンバーは、上記ロータと対向するティース面と、同ティース面から上記軸線方向に延在するとともに、巻線が巻回される巻線部と、上記各コアメンバー同士を連結して上記ステータの上記軸線方向の一端側に環状のヨーク部の一部を形成するためのヨーク部片とを備える固定子鉄心を含み、上記ヨーク部片の円周方向の両端側には、円周方向に隣接する上記コアメンバーの上記ヨーク部片と当接する当接面が設けられており、上記当接面の表面積をＡｓ、円周方向から見た上記ヨーク部片の側面の投影面積をＡｐとしたとき、Ａｓ＞Ａｐとなるように形成されており、
上記各コアメンバーはさらに、上記巻線部のティース面を残して上記固定子鉄心の外周を覆うインシュレータを含み、上記インシュレータは、上記ティース面および上記ヨーク部片に沿って平行な一対のフランジ部を有するボビン状に形成されており、上記ティース面側の上記フランジは、上記ティース面よりも上記軸線方向に低くなるように形成されているとともに、
上記フランジ部の円周方向の一端側には、第１連結手段としてのフック部が突設され、上記フランジ部の円周方向の他端側には、上記フック部が係止される係止軸が設けられており、上記係止軸は、その軸方向高さが、上記ティース面よりも上記軸線方向に低くなるように形成されていることを特徴とするアキシャルギャップ型電動機。
【請求項２】
ステータとロータとが上記ロータのロータ出力軸の軸線方向に沿って所定の空隙をもって対向的に配置され、上記ステータは、上記ロータ出力軸の軸線を中心に環状に配置される複数のコアメンバーを有し、上記コアメンバー同士が所定の連結手段を介して相互に連結されているアキシャルギャップ型電動機において、
上記各コアメンバーは、上記ロータと対向するティース面と、同ティース面から上記軸線方向に延在するとともに、巻線が巻回される巻線部と、上記各コアメンバー同士を連結して上記ステータの上記軸線方向の一端側に環状のヨーク部の一部を形成するためのヨーク部片とを備える固定子鉄心を含み、上記ヨーク部片の円周方向の両端側には、円周方向に隣接する上記コアメンバーの上記ヨーク部片と当接する当接面が設けられており、上記当接面の表面積をＡｓ、円周方向から見た上記ヨーク部片の側面の投影面積をＡｐとしたとき、Ａｓ＞Ａｐとなるように形成されており、
上記各コアメンバーはさらに、上記巻線部のティース面を残して上記固定子鉄心の外周を覆うインシュレータを含み、上記インシュレータは、上記ティース面および上記ヨーク部片に沿って平行な一対のフランジ部を有するボビン状に形成されており、上記ティース面側の上記フランジは、上記ティース面よりも上記軸線方向に低くなるように形成されているとともに、
上記コアメンバー同士を連結する際、隣接する上記各フランジ部の一部が上記軸線方向に互いに重なるように配置されており、上記ヨーク部片側における上記フランジ部同士が重なり合う当接部と、上記ヨーク部片同士が重なり合う当接部とは、重なり合う方向が上記軸線方向に互い違いとなるように配置されていることを特徴とするアキシャルギャップ型電動機。
【請求項３】
上記ヨーク部片の各当接面は、２以上の面を含み、そのうちの少なくとも１つの面は、上記ティース面とほぼ平行に設けられていることを特徴とする請求項１または２に記載のアキシャルギャップ型電動機。
【請求項４】
上記ヨーク部片の各当接面は円弧面を含み、上記円弧面は円周方向に凸または凹形状となるように形成されていることを特徴とする請求項１または２に記載のアキシャルギャップ型電動機。
【請求項５】
上記ヨーク部片の各当接面には、上記当接面同士が合致した状態での位置ズレを防止するための位置ズレ防止手段が設けられていることを特徴とする請求項１ないし４のいずれか１項に記載のアキシャルギャップ型電動機。
【請求項６】
上記コアメンバーは、積層鋼板からなり、上記ヨーク部片の当接面は、上記積層鋼板の積層方向とほぼ平行、かつ、上記軸線方向に対して垂直となるように設けられていることを特徴とする請求項１，２，３または５に記載のアキシャルギャップ型電動機。
【請求項７】
上記請求項１ないし６のいずれか１項に記載されたアキシャルギャップ型電動機を用いたポンプ装置であって、上記ポンプ装置は、軸線方向の厚みが厚い部分と薄い部分とが設けられた仕切壁によって電動機室とポンプ室とに区画されており、上記電動機室には、上記アキシャルギャップ型電動機のステータが、上記ティース面を上記仕切壁の厚みが薄い部分と対向するように配置されており、上記ポンプ室には、上記アキシャルギャップ型電動機のロータが上記仕切壁を挟んで上記ステータに対向的に配置されていることを特徴とするポンプ装置。
【手続補正２】
【補正対象書類名】明細書
【補正対象項目名】全文
【補正方法】変更
【補正の内容】
【発明の詳細な説明】
【技術分野】
【０００１】
本発明は、ロータとステータとがロータ出力軸の軸線方向に沿って所定の空隙をもって互いに対向的に配置される１ロータ型のアキシャルギャップ型電動機に関し、さらに詳しく言えば、ステータコアのヨーク部を構成する各ヨーク部片同士を磁気的に確実に連結して、より高効率なアキシャルギャップ型電動機に関する。
【背景技術】
【０００２】
例えば特許文献１に記載されているように、アキシャルギャップ型電動機は、ステータ（固定子）の一方または両方向の側面にロータ（回転子）を所定の空隙をもって対向的に配置した電動機であって、ラジアルギャップ型電動機に比べて、出力の大小に関わらず回転軸方向の全体長さを短くすることができる。
【０００３】
ステータは、複数のコアメンバー同士をロータ出力軸の軸線方向を中心に環状に連結したものから形成されている。これによれば、各コアメンバーにあらかじめ巻線を施しておき、各コアメンバー同士を連結して結線するだけで、簡単にステータの組み立てが行える。
【０００４】
ところで、例えば特許文献２に記載されているように、ステータの一方の面に１つのロータを配置した、いわゆるシングルロータのアキシャルギャップ型電動機の場合、コアメンバーに設けられるヨーク部片を連結して構成されるヨーク部をステータコアの反ロータ側に設けて、磁束経路の拡大を図り、より高出力化することが好ましい。
【０００５】
しかしながら、上述した分割コア型のアキシャルギャップ型電動機の場合、隣接するコアメンバーのヨーク部片の端面同士を互いに接触させて１つの磁気回路を形成しているため、接触面積が十分大きく取れず、磁気抵抗が大きくなるおそれがある。また、接触面積が大きく取れないと、例えば衝撃を受けた際に端面同士の接触が離れやすくなるため、磁気抵抗がさらに大きくなり、電動機の磁気損失が大きくなるおそれがある。
【０００６】
ところで、アキシャルギャップ型電動機の用途の一例として、例えば特許文献３に示すようなポンプ装置がある。このポンプ装置は、所定の仕切壁を介して区画された電動機室とポンプ室とを有し、電動機室内にステータが配置され、ポンプ室内にロータが配置されている。ロータには、ポンプ用の羽根車が一体的に設けられており、ロータの回転力によってポンプ室内に取り込まれた流体を吐出できるようになっている。
【０００７】
しかしながら、上述した分割コア型のアキシャルギャップ型電動機をポンプ装置に用いた場合、次のような問題があった。すなわち、特許文献１に記載されているアキシャルギャップ型電動機は、インシュレータのフランジ部の側面に各コアメンバー同士を連結するための連結手段や渡り線を処理するブリッジなどが設けられている。
【０００８】
そのため、フランジ部の一部がティース面よりも飛び出しているため、ポンプ装置の電動機室に組み込んだ場合に、ステータのティース面とロータのマグネット面との隙間が必然的に大きくなり、その結果、モータ出力が低下してしまう。
【先行技術文献】
【特許文献】
【０００９】
【特許文献１】特開２００８−１１８８３３号公報
【特許文献２】特開２００６−５０７４５号公報
【特許文献３】特開平０９−２０９９６９号公報
【発明の概要】
【発明が解決しようとする課題】
【００１０】
そこで、本発明は、上述した課題を解決するためになされたものであって、その目的は、磁気損失が少なく、高出力なシングルロータ型のアキシャルギャップ型電動機および同アキシャルギャップ型電動機を用いたポンプ装置を提供することにある。
【課題を解決するための手段】
【００１１】
上述した目的を達成するため、本発明は以下に示すいくつかの特徴を備えている。請求項１に記載の発明は、ステータとロータとが上記ロータのロータ出力軸の軸線方向に沿って所定の空隙をもって対向的に配置され、上記ステータは、上記ロータ出力軸の軸線を中心に環状に配置される複数のコアメンバーを有し、上記コアメンバー同士が所定の連結手段を介して相互に連結されているアキシャルギャップ型電動機において、
上記各コアメンバーは、上記ロータと対向するティース面と、同ティース面から上記軸線方向に延在するとともに、巻線が巻回される巻線部と、上記各コアメンバー同士を連結して上記ステータの上記軸線方向の一端側に環状のヨーク部の一部を形成するためのヨーク部片とを備える固定子鉄心を含み、上記ヨーク部片の円周方向の両端側には、円周方向に隣接する上記コアメンバーの上記ヨーク部片と当接する当接面が設けられており、上記当接面の表面積をＡｓ、円周方向から見た上記ヨーク部片の側面の投影面積をＡｐとしたとき、Ａｓ＞Ａｐとなるように形成されており、
上記各コアメンバーはさらに、上記巻線部のティース面を残して上記固定子鉄心の外周を覆うインシュレータを含み、上記インシュレータは、上記ティース面および上記ヨーク部片に沿って平行な一対のフランジ部を有するボビン状に形成されており、上記ティース面側の上記フランジは、上記ティース面よりも上記軸線方向に低くなるように形成されているとともに、
上記フランジ部の円周方向の一端側には、第１連結手段としてのフック部が突設され、上記フランジ部の円周方向の他端側には、上記フック部が係止される係止軸が設けられており、上記係止軸は、その軸方向高さが、上記ティース面よりも上記軸線方向に低くなるように形成されていることを特徴としている。
【００１２】
請求項２に記載の発明は、ステータとロータとが上記ロータのロータ出力軸の軸線方向に沿って所定の空隙をもって対向的に配置され、上記ステータは、上記ロータ出力軸の軸線を中心に環状に配置される複数のコアメンバーを有し、上記コアメンバー同士が所定の連結手段を介して相互に連結されているアキシャルギャップ型電動機において、
上記各コアメンバーは、上記ロータと対向するティース面と、同ティース面から上記軸線方向に延在するとともに、巻線が巻回される巻線部と、上記各コアメンバー同士を連結して上記ステータの上記軸線方向の一端側に環状のヨーク部の一部を形成するためのヨーク部片とを備える固定子鉄心を含み、上記ヨーク部片の円周方向の両端側には、円周方向に隣接する上記コアメンバーの上記ヨーク部片と当接する当接面が設けられており、上記当接面の表面積をＡｓ、円周方向から見た上記ヨーク部片の側面の投影面積をＡｐとしたとき、Ａｓ＞Ａｐとなるように形成されており、
上記各コアメンバーはさらに、上記巻線部のティース面を残して上記固定子鉄心の外周を覆うインシュレータを含み、上記インシュレータは、上記ティース面および上記ヨーク部片に沿って平行な一対のフランジ部を有するボビン状に形成されており、上記ティース面側の上記フランジは、上記ティース面よりも上記軸線方向に低くなるように形成されているとともに、
上記コアメンバー同士を連結する際、隣接する上記各フランジ部の一部が上記軸線方向に互いに重なるように配置されており、上記ヨーク部片側における上記フランジ部同士が重なり合う当接部と、上記ヨーク部片同士が重なり合う当接部とは、重なり合う方向が上記軸線方向に互い違いとなるように配置されていることを特徴としている。
【００１３】
請求項３に記載の発明は、上記請求項１または２において、上記ヨーク部片の各当接面は、２以上の面を含み、そのうちの少なくとも１つの面は、上記ティース面とほぼ平行に設けられていることを特徴としている。
【００１４】
請求項４に記載の発明は、上記請求項１または２において、上記ヨーク部片の各当接面は、円弧面を含み、上記円弧面は、円周方向に凸または凹形状となるように形成されていることを特徴としている。
【００１５】
請求項５に記載の発明は、上記請求項請求項１ないし４のいずれか１項において、上記ヨーク部片の各当接面には、上記当接面同士が合致した状態での位置ズレを防止するための位置ズレ防止手段が設けられていることを特徴としている。
【００１６】
請求項６に記載の発明は、上記請求項１，２，３または５において、上記コアメンバーは、積層鋼板からなり、上記ヨーク部片の当接面は、上記積層鋼板の積層方向とほぼ平行、かつ、上記軸線方向に対して垂直となるように設けられていることを特徴としている。
【００１７】
本発明には、このアキシャルギャップ型電動機を組み込んでなるポンプ装置も含まれる。すなわち、請求項７に記載の発明は、上記請求項１ないし６のいずれか１項に記載されたアキシャルギャップ型電動機を用いたポンプ装置であって、上記ポンプ装置は、軸線方向の厚みが厚い部分と薄い部分とが設けられた仕切壁によって電動機室とポンプ室とに区画されており、上記電動機室には、上記アキシャルギャップ型電動機のステータが、上記ティース面を上記仕切壁の厚みが薄い部分と対向するように配置されており、上記ポンプ室には、上記アキシャルギャップ型電動機のロータが上記仕切壁を挟んで上記ステータに対向的に配置されていることを特徴としている。
【発明の効果】
【００１８】
請求項１に記載の発明によれば、ヨーク部片同士を互いに連結する際に当接する当接面の表面積をＡｓ、円周方向から見た上記ヨーク部片の側面の投影面積をＡｐとしたとき、当接面は、Ａｓ＞Ａｐとなるように形成したことにより、確実に当接面同士を当接させることができるので、磁束経路を確保することができる。また、コアメンバーに取り付けられるインシュレータの一対のフランジ部のうち、ティース面側のフランジをティース面よりも軸線方向に低くなるように形成したことにより、ティース面が最も高い位置となり、ロータとの間のギャップを小さくすることができ、軸方向寸法を小さくすることができる。また、フランジ部の円周方向の他端側に設けられる係止軸の軸方向高さをティース面よりも軸線方向に低くなるように形成したことにより、係止軸が邪魔にならず、ロータとの間のギャップをより小さくすることができる。
【００１９】
請求項２に記載の発明によれば、コアメンバー同士を連結する際、隣接する上記コアメンバーのフランジ部の一部が上記軸線方向に沿って互いに重なるように配置されており、フランジ部の当接面が軸線方向のいずれか一方側から当接し、ヨーク部片の当接面は、軸線方向のいずれか他方側から当接するように、軸線方向に対して逆向きに配置されているため、コアメンバーが軸線方向に外れることを確実に防止することができる。
【００２０】
請求項３および４に記載の発明によれば、当接面が少なくとも２以上の面を含むことにより、当接面を２面以上設けることで、接触面積を簡単に増やすことができる。さらには、当接面が円弧面を含むことにより、平坦面よりもさらに表面積を増やすことができ、磁束密度を高めることができる。
【００２１】
請求項５に記載の発明によれば、当接面に当接面同士の位置ズレを防止するための位置ズレ防止手段を設けたことにより、外的な力が加えられたとしても、位置ズレ防止手段によって当接面同士が連結されているため、確実に連結を維持することができる。
【００２２】
請求項６に記載の発明によれば、電磁鋼板を積層した積層鋼板を用いてコアメンバーを構成することにより、１枚の鋼板が複数枚の鋼板と接触するので、磁路が確保される。さらには、１枚の鋼板に磁束が集中しても、周囲の鋼板に分散されるため、磁気飽和が緩和される。
【００２３】
請求項７に記載の発明によれば、電動機室内に請求項１ないし６のいずれか１項に記載されたアキシャルギャップ型電動機のステータが配置され、ポンプ室内に請求項１ないし６のいずれか１項に記載されたアキシャルギャップ型電動機のロータが配置されることで、仕切壁を挟んで対向配置されたステータとロータとの距離をできるだけ小さくすることができ、モータ出力をできるだけ高めることができる。
【図面の簡単な説明】
【００２４】
【図１】本発明の一実施形態に係るアキシャルギャップ型電動機の要部断面図。
【図２】（ａ）上記アキシャルギャップ型電動機のステータをティース面側から見た斜視図，（ｂ）ヨーク部側から見た斜視図。
【図３】（ａ）上記ステータをティース面側から見た正面図，（ｂ）ヨーク部側から見た正面図。
【図４】上記ステータの側面図。
【図５】図３（ａ）のＡ−Ａ線断面図，（ｂ）図３（ａ）のＤ−Ｄ線断面図，（ｃ）固定子鉄心の連結部の拡大断面図。
【図６】（ａ）上記ステータのコアメンバーをティース面側から見た斜視図，（ｂ）上記コアメンバーをヨーク部側から見た斜視図。
【図７】（ａ）上記コアメンバーの正面図，（ｂ）背面図，（ｃ）平面図，（ｄ）（ａ）のＢ−Ｂ線断面図および（ｅ）（ｃ）のＣ−Ｃ線断面図。
【図８】（ａ）固定子鉄心を内径側から見た斜視図，（ｂ）固定子鉄心を外径側から見た斜視図。
【図９】（ａ）固定子鉄心を内径側から見た正面図，（ｂ）背面図，（ｃ）平面図および（ｄ）底面図。
【図１０】（ａ）固定子鉄心同士を連結した状態の模式図，（ｂ）その連結部分をハッチングで表す模式図。
【図１１】（ａ）当接面の噛み合わせ状態を示す模式図，（ｂ）当接面のかみ合わせの変形例を表す模式図，（ｃ）当接面を円弧状に変形例を表す模式図。
【図１２】（ａ）固定子鉄心同士を連結した状態の模式図，（ｂ）その連結部分をハッチングで表す模式図。
【図１３】当接面の噛み合わせ状態を示す模式図。
【図１４】ステータコアの組立手順の一例を説明する模式図。
【図１５】ステータコアの組立手順の一例を説明する模式図。
【図１６】（ａ）第１位置ズレ防止手段を備えた固定子鉄心を内径側から見た斜視図，（ｂ）上記固定子鉄心を外径側から見た斜視図，（ｃ）第１位置ズレ手段の係止状態を表す模式図。
【図１７】（ａ）第２位置ズレ防止手段を備えた固定子鉄心を内径側から見た斜視図，（ｂ）上記固定子鉄心を外径側から見た斜視図。
【図１８】本発明のアキシャルギャップ型電動機を組み込んでなるポンプ装置の（ａ）斜視図および（ｂ）要部断面部。
【図１９】上記ポンプ装置の仕切壁の斜視図。
【発明を実施するための形態】
【００２５】
次に、本発明の実施形態について図面を参照しながら説明するが、本発明はこの限りではない。図１に示すように、このアキシャルギャップ型電動機１は、ステータ２のティース面２２ａとヨーク部片２３の端面を除き、樹脂成形体１０で外殻を形成するステータ２と、ステータ２の一方の面（図１では右側面）に所定の空隙（エアギャップ）をもって対向的に配置されるロータ３とを備えている。ロータ３には、ロータ出力軸４が同軸的に固定されている。
【００２６】
ステータ２は、ロータ出力軸４の軸線を中心に環状に形成されており、インサート成形によって樹脂成形体１０とともに一体成形されている。ステータ２の反ロータ側（図１では左側面側）には、図示しない制御基板が据え付けられる基板台座１１が樹脂成形体１０によって一体成形されている。
【００２７】
ロータ３は、円盤状のロータバックヨーク３２の一方の面（図１では左側面）にステータ２のティース面２２ａと対向するようにマグネット３１が円周方向に多数設けられている。本発明において、ロータ３の具体的な構成は任意であってよい。また、ロータ出力軸４は、この例において、ステータ２に設けられた軸受収容部に収容された１つの軸受で支持されているが、出力軸の支持構造はこれに限らず、任意であってよい。
【００２８】
図２〜図８を併せて参照して、ステータ２は、ロータ出力軸４の軸線を中心として環状に配置される複数のコアメンバー２１ａ〜２１ｉを備えている。この例において、コアメンバー２１ａ〜２１ｉは９個（９スロット）からなる。各コアメンバー２１ａ〜２１ｉはともに同一形状であるため、以下ではコアメンバー２１ａを例にとって説明する。
【００２９】
コアメンバー２１ａは、固定子鉄心２４と、固定子鉄心２４の外周を覆うように取り付けられるインシュレータ４０とを備えている。この例において、固定子鉄心２４は、図７（ｄ）の断面図に示すように、Ｈ字状に打ち抜かれた電磁鋼板をステータ２の半径方向（図７（ａ）の上下方向）に沿って積層して形成されているが、これ以外に粉体成形や切削加工などによって形成されていてもよい。
【００３０】
固定子鉄心２４は、インシュレータ４０を介して図示しない巻線が周囲に巻回される巻線部２２と、巻線部２２の基端側に一体的に形成されるヨーク部片２３とを備え、巻線部２２の先端側（図１では右側面側）には、ロータ３のロータマグネット３１に対向する扇状のティース面２２ａが一体的に設けられている。固定子鉄心２４は、巻線部２２の両端にフランジ状のティース面２２ａとヨーク部片２３を有するボビン状に形成されている。
【００３１】
図８および図９に示すように、巻線部２２は、内径側（図７（ｅ）の下側）から外径側（図７（ｅ）の上側）に向かうにつれ周方向の幅が漸次大きくなる断面三角形状に形成されている。この例において、巻線部２２は台形状に形成されているが、巻線部２２の形状は使用に応じて任意であってよい。
【００３２】
ティース面２２ａも内径側（図７（ａ）の下側）から外径側（図７（ａ）の上側）に向かうにつれ周方向の幅が漸次大きくなるように形成され、軸線方向から見て扇状に形成されている。この例において、ティース面２２ａは扇状に形成されているが、その形状は使用に応じて任意であってよい。
【００３３】
ヨーク部片２３は、巻線部２２の基端側（図７（ｄ）では右側）に設けられ、内径側（図７（ｂ）の下側）から外径側（図７（ｂ）の上側）に向かうにつれ周方向の幅が漸次大きくなるように形成されている。
【００３４】
ヨーク部片２３は、周方向の幅がティース面２２ａの周方向の幅よりも大きく形成されており、固定子鉄心２４やコアメンバー２１ａをティース面２２ａ側から見た場合、ティース面２２ａの両端側からヨーク部片２３の両端（第１当接面２３１，第２当接面２３２）の一部がそれぞれ所定長さだけ突出しているように見える（図７（ａ），図９（ｃ）参照）。
【００３５】
ヨーク部片２３の円周方向の一端側（図９（ａ）の右側）には、第１当接面２３１が設けられており、他端側（図９（ａ）の左側）には、第２当接面２３２が設けられている。
【００３６】
すなわち、第１当接面２３１は、ヨーク部片２３の底面から軸線方向に一段低く凹まされたＬ字状の段差面からなり、隣接するコアメンバー２１ｂの第２当接面２３２に沿って形状的に合致するようになっている。第２当接面２３２は、ヨーク部片２３の上面から軸線方向に一段低く凹まされたＬ字状の段差面からなり、第１当接面２３１とは対称形状である。
【００３７】
これによれば、第１当接面２３１および第２当接面２３２がＬ字状の段差面によって形成されていることにより、図１０（ａ），（ｂ）に示すように、この第１当接面２３１と第２当接面２３２とを互いに向き合わせ、交互に噛み合わせることにより、各当接面２３１，２３２同士が互いに合致した状態で連結される。
【００３８】
第１および第２当接面２３１，２３２は、それぞれ断面Ｌ字状に形成されているが、少なくとも２以上の面を含むように構成されている。すなわち、図１１（ａ）に示すように、第１および第２当接面２３１，２３２は、軸線方向に平行な２つの当接面２３１ａ，２３１ｂおよび２３２ａ，２３２ｂと、軸線方向に対して直交する１つの当接面２３１ｃ，２３２ｃをそれぞれ備えている。
【００３９】
本発明において、第１当接面２３１の表面積ＡｓをＡｓ１とし、当接面２３１ａ，２３１ｂ，２３１ｃの表面積ＡｓをそれぞれＳ１ａ，Ｓ１ｂ，Ｓ１ｃ、とすると、第１当接面２３１の表面積Ａｓ１は、Ａｓ１＝Ｓ１ａ＋Ｓ１ｂ＋Ｓ１ｃとなる。同様に、第２当接面２３２の表面積ＡｓをＡｓ２とし、当接面２３２ａ，２３２ｂ，２３２ｃの表面積をそれぞれＳ２ａ，Ｓ２ｂ，Ｓ２ｃとすると、第２当接面２３２の表面積Ａｓ２は、Ａｓ２＝Ｓ２ａ＋Ｓ２ｂ＋Ｓ２ｃとなる。一方、第１当接面２３１および第２当接面２３２のヨーク部片２３を円周方向から見た側面の投影面積ＡｐをＡｐ１，Ａｐ２としたとき、第１当接面２３１の投影面積Ａｐ１は、Ａｐ１＝Ｓ１ａ＋Ｓ１ｂ（第２当接面２３２の投影面積Ａｐ２はＳ２ａ＋Ｓ２ｂ）となる。したがって、第１および第２当接面２３１，２３２は、Ａｓ１＞Ａｐ１，Ａｓ２＞Ａｐ２となるように形成されている。
【００４０】
第１当接面２３１および第２当接面２３２は、その表面積がヨーク部片２３を円周方向から見た側面の投影面積よりも大きく形成されていることにより、接触面積を大きく取ることができ、その結果、隣り合うコアメンバー（例えば、コアメンバー２１ａとコアメンバー２１ｂ）が寸法誤差などで近接できず周方向に若干の距離をもって配置されるような場合でも、磁束を継ぐ経路を確保することができる。
【００４１】
これにより、ヨーク部片２３を円周方向から見た側面の投影面積Ａｐよりも各当接面２３１，２３２の表面積Ａｓを大きくすることができる。より表面積を増やす方法としては、図１１（ｂ）に示すように、第１および第２当接面２３１，２３２をそれぞれ凹凸に形成しておき、これらを噛み合わせるようにしてもよい。これによれば、各当接面２３１，２３２の表面積を大きくすることができるばかりでなく、各当接面２３１，２３２の噛み合わせをより確実に行うことができる。
【００４２】
また、これとは別の方法として、図１１（ｃ）に示すように、第１および第２当接面２３１，２３２は円弧面に形成されていてもよい。すなわち、一方の第１当接面２３１を凹状の円弧面に形成しておき、他方の第２当接面２３２を、これに合致する凸状の円弧面としておき、これらを互いに合致させてもよい。このような態様も本発明に含まれる。
【００４３】
第１および第２当接面２３１，２３２が１面であっても、円弧状に形成することで、表面積を大きくすることができる。さらには、凹凸状の円弧面としておくことで、それらを互いに合致させることで、位置決めも併せて行うことができる。
【００４４】
再び図６，７を参照して、インシュレータ４０は、ティース面２２ａおよびヨーク部片２３の内周面を覆うとともに、ティース面２２ａおよびヨーク部片２３から半径方向の両側（図７の上下方向）に延びるフランジ部４１，４１と、巻線部２２の外周面を覆う外筒部４２とを備えている。
【００４５】
この例において、インシュレータ４０は、合成樹脂の成型品からなり、円周方向に沿ってほぼ半分割されており、それらを固定子鉄心２４の両側（図７（ａ）では左右側）から嵌め込むことにより、固定子鉄心２４に取り付けられるようになっている。なお、インシュレータ４０は、固定子鉄心２４に一体成形されていてもよく、本発明において、インシュレータ４０の取付構造は、仕様に応じて任意であってよい。
【００４６】
インシュレータ４０の各フランジ部４１，４１には、各コアメンバー２１ａ〜２１ｉ同士を周方向に相互に連結するための２つの連結手段が設けられている。まず、第１の連結手段（以下、第１連結手段とする）として、フランジ部４１，４１の円周方向の端部には、各コアメンバー２１ａ〜２１ｉ同士をロータ出力軸４を中心に環状に連結するためのフック部４３と、同フック部４３が係止される係止軸４４とが設けられている。
【００４７】
図７（ａ）に示すように、フック部４３は、各フランジ部４１の外径側端面に設けられており、各フランジ部４１の円周方向の一端側の端面から円周方向の外側に向けて突設された舌片からなる。このフック部４３の外径側には、係止軸４４の外周面に沿って合致するフック溝４３１が設けられている。
【００４８】
フック溝４３１は、係止軸４４の外周面に沿って合致される半円状の円弧面からなり、フック溝４３１を隣接するコアメンバーに設けられた係止軸４４の外周面に引っ掛けることで、係止軸４４の軸線を中心に各コアメンバー２１ａ〜２１ｉ同士を回転させることができる。
【００４９】
係止軸４４は、円柱状を呈し、各フランジ部４１の外径側の側面であって円周方向の他端側（フック部４３とは反対側）から軸線方向に突設されている。係止軸４４は、その先端がティース面２２ａよりも低くなるように設けられている。
【００５０】
これによれば、係止軸４４の先端をティース面２２ａよりも低い位置に設けることで、ティース面２２ａがコアメンバー２１ａの軸方向の最外面となり、例えばステータ２とロータ３との間に防水用の仕切壁が介在するポンプ装置などに用いても、ステータ２とロータ３の間の距離をできる限り小さくすることができ、出力低下を最小限に抑えることができる。
【００５１】
次に、第２の連結手段（第２連結手段）として、フランジ部４１，４１の内径側には、係止リブ４５と、係止リブ４５の受け手側としての係止溝４６とが設けられている。図７（ａ）に示すように、係止リブ４５は、各フランジ部４１，４１の円周方向の内径側端面に設けられており、一端側の端面（図７（ａ）では右端）から円周方向の外側に向けて突設された凸状片であり、この例は三角形状に形成されている。
【００５２】
これに対して、各係止溝４６，４６は、各フランジ部４１，４１の内径側の側面であって円周方向の他端側の側面に軸線方向に一段低く凹まされた凹溝からなり（図７（ａ）では左端）、係止リブ４５と形状的に合致する三角形状の凹溝として形成されている。
【００５３】
この例において、各係止リブ４５，４５および係止溝４６，４６はともに、三角形状に形成されているが、各コアメンバー２１ａ〜２１ｉ同士を環状に連結可能な形状であれば、その形状は仕様に応じて任意に選択されてよい。
【００５４】
各フランジ部４１，４１のうち、ヨーク部片２３側のフランジ部４１の側面には、渡り線や端子ピン（ともに図示しない）などの処理に用いられる端子台４７，４７が設けられている。図６（ｂ）に示すように、端子台４７，４７は、ヨーク部片２３側のフランジ部４１の外径側の側面に突設された支軸であって、所定の間隔をもって２箇所突設されている。
【００５５】
端子台４７，４７の先端には、上述した端子ピンが差し込まれる端子孔が穿設されている。なお、ティース面２２ａを最外面とするため、ティース面２２ａ側のフランジ部４１には、端子台４７，４７は設けられていない。
【００５６】
次に、図１４，１５を参照して、コアメンバー２１ａ〜２１ｉの連結手順の一例について説明する、コアメンバー２１ａ〜２１ｉ同士を連結するにあたっては、コアメンバー２１ａのフック部４３を隣接するコアメンバー２１ｉの係止軸４４に引っ掛ける。
【００５７】
フック部４３を引っ掛けた状態のまま、コアメンバー２１ａを係止軸４４の軸線を中心に、図１４の矢印方向に回動させてゆくと、隣接するコアメンバー２１ｉの内径側に設けられた係止リブ４５がコアメンバー２１ａの係止溝４６に沿って差し込まれ、図１５に示すような連結された状態となる。
【００５８】
以上の一連の工程を各コアメンバー２１ａ〜２１ｉ毎に行うことで、全てのコアメンバー２１ａ〜２１ｉ同士が環状に連結される。ここで、図５（ａ），（ｂ）に示すように、各コアメンバー２１ａ〜２１ｉ同士を連結する際、隣接するコアメンバー２１ａ〜２１ｉのフランジ部４１，４１は、係止軸周辺部４４１，４４１とフック部４３，４３が軸線方向に重なり合うように当接するようになっている。
【００５９】
他方において、ヨーク部片２３の軸方向の当接面２３１ｃ，２３２ｃは、軸線方向に重なり合うように（図５（ｃ））当接するようになっている。これによれば、図５（ａ）に示すように、フランジ部４１，４１とヨーク部片２３，２３の重なり合う方向が軸線方向に互い違いとなることで、フランジ部４１，４１の抜け落ち方向と、ヨーク部片２３，２３の抜け落ち方向とが互いに相反するため、各コアメンバー２１ａ〜２１ｉ同士の連結をより強固にすることができる。
【００６０】
この例において、ヨーク部片２３の軸方向の当接面２３１ｃ，２３２ｃは、軸線方向に重なり合うように配置されているが、図１２〜図１３に示すように、当接面２３１ｃ，２３２ｃは、軸線方向に重なり合うことができれば、上下逆向きに設けられていてもよい。
【００６１】
上記したように、ヨーク部片２３の円周方向の両端に設けられる当接面が、隣接するヨーク部片の当接面と軸線方向に重なり合うように配置される当接面２３１ｃを備える場合、コアメンバー２１ａ〜２１ｉを図１０又は図１２に示すように、電磁鋼板を積層した積層鋼板で構成することにより、磁路の確保に加えて、磁気飽和の緩和という効果が得られる。すなわち、図１０（ｂ）又は図１２（ｂ）に示すように、電磁鋼板を積層した積層鋼板を用いてコアメンバーを構成することにより、１枚の鋼板が複数枚の鋼板と接触するので磁路が確保される。さらには、１枚の鋼板に磁束が集中しても、周囲の鋼板に分散されるため、磁気飽和が緩和される。
【００６２】
この例において、第１および第２当接面２３１，２３２は、断面Ｌ字状に形成されており、それらを互いに合致させることで、ヨーク部片２３同士が環状に連結されるようになっているが、第１および第２当接面２３１，２３２を連結した状態でずれないようにするための位置ズレ防止手段を備えてもよい。
【００６３】
図１６（ａ）〜（ｃ）を参照して、位置ズレ防止手段は、第１当接面２３１の当接面２３１ｃに設けられた係止凹部２３３と、第２当接面２３２の当接面２３２ｃから突設された係止凸部２３４とからなる。係止凹部２３３と係止凸部２３４とは、相対的に合致する位置に設けられている。
【００６４】
係止凹部２３３および係止凸部２３４は、それぞれ半球状に形成されており、それらが互いに噛み合わせられることで、ヨーク部片２３同士が噛み合わせられた状態を維持できるようになっている。
【００６５】
この例において、固定子鉄心２４は、任意の立体形状を容易に作ることができる圧粉磁心が用いられているが、本発明はこれに限られず、磁性鋼板を積層して形成してもよいし、切削加工などにより形成してもよい。係止凹部２３３および係止凸部２３４は、１組の半球状の凹凸からなるが、２組以上設けられていてもよいし、円柱状の凹凸であってもよく、互いに合致可能で位置ズレを防止することができれば、その他の変形例も本発明に含まれる。
【００６６】
位置ズレの別の方法としては、図１７（ａ），（ｂ）に示すように、第１および第２当接面２３１，２３２の一部を端面から円周方向に沿ってさらに一段凹ませ、円周方向に沿って互いに当接する当接面２３１ｄ，２３２ｄを設けてもよい。
【００６７】
これによれば、第１および第２当接面２３１，２３２が軸線方向に平行な当接面（当接面２３１ａ，２３２ｂ）−径方向平行な当接面（当接面２３１ｃ，２３１ｃ’および２３１ｃ’，２３２ｃ）−周方向に平行な当接面（当接面２３１ｄ，２３２ｄ）の３方向に平行な当接面を備えることにより、各当接面２３１，２３２同士を互いに合致させるだけで、位置ズレを防止することができる。
【００６８】
組み立てられたステータコア２は、専用のインサート金型（図示しない）に取り付けられたのち、金型内に熔融樹脂が流し込まれティース面２２ａを残して全体が樹脂成形体１０によって一体成形される。最後に、結線処理や基板台座１１への基板の取り付けなどを行った後、所定の対象装置へと組み込まれる。
【００６９】
図１８（ａ），（ｂ）に示すように、この例において、アキシャルギャップ型電動機１は、水などの流体を搬送するポンプ装置Ｐに好ましくは用いられる。このポンプ装置Ｐは、所定の防水用仕切壁ＰＷを介して、内部が電動機室ＭＣとポンプ室ＰＣとに区画されており、ロータ３の軸線方向に吸入口ＰＩＮを有し、半径方向に吐出口ＰＯＵＴが設けられている。
【００７０】
電動機室ＭＣ側には、アキシャルギャップ型電動機１のステータ２が配置されており、仕切壁ＰＷを挟んでポンプ室ＰＣ側にがロータ３が設けられている、ロータ３には、ポンプ用のインペラＩＭが一体的に設けられており、ロータ３の回転駆動力が直にインペラＩＭを駆動するようになっている。
【００７１】
この例において、仕切壁ＰＷは、図１９に示すように、軸線方向の厚みが厚い部分と薄い部分とが設けられている。すなわち、ティース面２２ａに対向するティース面対向部５１の軸方向の厚みは、ロータ３との間のギャップをできるだけ小さくすように薄く形成されており、それ以外の部分、つまり、ティース面対向部５１の内径側及び外径側であって、ステータ２の樹脂成形体１０に対向する樹脂成形体対向部５２は、強度を保つため厚く形成されている。さらに、隣接するティース面対向部５１の間の軸方向厚みを厚くして、リブ５３が形成されているので、厚みが薄いティース面対向部５１の強度も保たれる。
【００７２】
さらには、仕切壁ＰＷに当接するティース面２２ａ側のフランジ部４１は、ティース面２２ａが軸方向の最外面となるように設けられているため、ティース面２２ａを仕切壁ＰＷのティース面対向部５１に密着させることができる。したがって、ティース面２２ａとロータマグネット３１を軸線方向に近づけることができるので、ステータ２とロータ３との間での磁気損失を抑えることができる。
【００７３】
本発明において、アキシャルギャップ型電動機１は、ポンプ装置に用いられることが最も好ましいが、これ以外に、一般的な電動機の用途に用いられてもよい。すなわち、各種ファンの駆動用などとして用いられてもよい。
【符号の説明】
【００７４】
１  アキシャルギャップ型電動機。
２  ステータ
２１ａ〜２１ｉ  コアメンバー
２２  巻線部
２２ａ  ティース面
２３  ヨーク部片
２３１  第１当接面
２３２  第２当接面
２４  固定子鉄心
３  ロータ
３１  ロータマグネット
３２  ロータバックヨーク
４０  インシュレータ
４１，４１  フランジ部
４２  外筒部
４３  フック部
４４  係止軸
４５  係止リブ
４６  係止溝
Ｐ  ポンプ装置